(57)【要約】      （修正有）【課題】棒状部材を用いた立体的な凹凸を表現してなるスクリューアートを提供する。【解決手段】略平坦面２１を有してなる基礎ボード２０と、基礎ボード２０の略平坦面２１に起立して設けられてなる複数の断面Ｔ字状の棒状部材とを備えてなり、複数の棒状部材は、略平坦面２１に形成されてなる所望のイラストの外形線に対応する位置に沿って打設されてなり、一の棒状部材の頭部３１、４１の頂点から略平坦面２１までの距離と、他の少なくとも一の棒状部材の頭部３１、４１の頂点から略平坦面２１までの距離とが異なる。【選択図】図１
0003223136.tif 000002
【実用新案登録請求の範囲】
【請求項１】
略平坦面を有してなる基礎ボードと、
前記基礎ボードの前記略平坦面に起立して設けられてなる複数の断面Ｔ字状の棒状部材とを備えてなり、
複数の前記棒状部材は、前記略平坦面に形成されてなる所望のイラストの外形線に対応する位置に沿って打設されてなり、
一の棒状部材の頭部の頂点から前記略平坦面までの距離と、他の少なくとも一の棒状部材の頭部の頂点から前記略平坦面までの距離とが異なる
ことを特徴とするスクリューアート。
【請求項２】
前記外形線によって閉じられてなるイラスト領域を敷き詰めるように打設されてなる複数の前記棒状部材を有する
ことを特徴とする請求項１に記載のスクリューアート。
【請求項３】
複数の前記棒状部材は、
二種以上の、頭部の形状が異なる棒状部材の組み合わせによって構成されてなる
ことを特徴とする請求項１若しくは請求項２のいずれか１つに記載のスクリューアート。
【請求項４】
複数の前記棒状部材は、
前記略平坦面に打設される時点において、少なくとも頭部があらかじめ着色されてなる
ことを特徴とする請求項１〜請求項３のいずれか１つに記載のスクリューアート。
【請求項５】
前記棒状部材は、
前記基礎ボードに打ち込まれる下端部が、先鋭形状に形成されてなるネジである
ことを特徴とする請求項１〜請求項４のいずれか１つに記載のスクリューアート。
【請求項６】
略平坦面を有してなる基礎ボードと、
スクリューアートの製造時において前記基礎ボードの略平坦面に形成した所望のイラストの外形線に対応する位置に沿って打設可能であると共に、二種以上の、頭部の形状が異なる棒状部材の組み合わせによって構成されてなる複数の断面Ｔ字状の棒状部材と、を備え、
複数の前記棒状部材は、少なくとも頭部が着色されてなる
ことを特徴とするスクリューアート製造キット。
【考案の詳細な説明】
【技術分野】
【０００１】
本考案は、立体イラストボードに関する。
【背景技術】
【０００２】
従来、基板の表面に多数本の釘を釘打ちパターン通りに順次打ち込んで模様状に配列してから、細いワイヤーを釘群に順次緊張状態で掛け渡し、張架されたワイヤーによって装飾模様を造型するワイヤーアートが知られていた（例えば、特許文献１の〔従来の技術〕の欄を参照）。
【先行技術文献】
【特許文献】
【０００３】
【特許文献１】特公平４−７９８３８号公報
【考案の概要】
【考案が解決しようとする課題】
【０００４】
しかし、従来のワイヤーアートは、釘が基板に対し所定の釘打ちパターン通りに順次高さを揃えて打ち込んで模様状に配列されてなることから、棒状部材を用いて、イラストの立体的な凹凸を表現するものではなかった。
【課題を解決するための手段】
【０００５】
そこで、上記課題を解決するための手段として本考案に係るスクリューアート（「立体イラストボード」ともいう。）は、略平坦面を有してなる基礎ボードと、前記基礎ボードの前記略平坦面に起立して設けられてなる複数の断面Ｔ字状の棒状部材とを備えてなり、複数の前記棒状部材は、前記略平坦面に形成されてなる所望のイラストの外形線に対応する位置に沿って打設されてなり、一の棒状部材の頭部の頂点から前記略平坦面までの距離と、他の少なくとも一の棒状部材の頭部の頂点から前記略平坦面までの距離とが異なることを特徴とする。
【０００６】
本考案に係るスクリューアートによれば、一の棒状部材の頭部の頂点から前記略平坦面までの距離と、他の少なくとも一の棒状部材の頭部の頂点から前記略平坦面までの距離とが異なることで、複数の前記棒状部材の頭部の高さの相違により、前記棒状部材を用いた立体的な凹凸を表現してなるスクリューアートを提供することができる。
【０００７】
ここで、前記断面Ｔ字状の棒状部材としては、例えば、ネジ、ボルト、釘、ピン、待ち針などの種々の構成を使用することができる。
【０００８】
また、前記イラストの外形線は、イラスト領域とその他の部分とを区別するイラストの外枠を表す線（以下、イラスト外枠線ともいう。）に限られるものではなく、前記イラスト外枠線によって囲われた領域の内側において、必要に応じて表現されるイラストの空洞部とイラスト領域との境界線（例えば、ドーナツのイラストにおける内周線を挙げることができる。）、及び前記イラスト領域において、一の部分と他の部分とを区別するために用いられる境界線（例えば、鉛直方向に立ち上がる一辺を左右方向中心に配置した立方体を等角投影法によって表現したイラストの略中心に表れる頂点から放射状に表現される３本の線を挙げることができる。）をも含むものである。
なお、イラスト外形線は、鉛筆、操出鉛筆、ボールペン等を使用して描画により形成することができる。
【０００９】
またさらに、複数の前記棒状部材は、前記イラストの外形線に対応する位置に沿って打設されていればよく、それぞれの前記棒状部材の頭部が当接する程度に近接していることを要するものではない。
【００１０】
また、前記外形線によって閉じられてなるイラスト領域を敷き詰めるように打設されてなる複数の前記棒状部材を有することとしても好ましい。
【００１１】
前記外形線によって閉じられてなるイラスト領域を敷き詰めるように打設されてなる複数の前記棒状部材を有する構成によれば、面積を有してなるイラスト領域の内側においても立体的な凹凸を表現してなるスクリューアートを提供することが可能となる。
【００１２】
なお、前記外形線によって閉じられてなる領域であっても、イラストを構成しない部分（例えば、ドーナツのイラストにおける内周線の内側である孔に対応する部分を挙げることができる。）については、前記棒状部材を打設することを要しない。
【００１３】
また、複数の前記棒状部材は、二種以上の、頭部の形状が異なる棒状部材の組み合わせによって構成されてなることとしても好ましい。
【００１４】
複数の前記棒状部材が、二種以上の、頭部の形状が異なる棒状部材の組み合わせによって構成されてなる構成によれば、異なる頭部の形状を有する前記棒状部材が組み合わされてなることにより、種々の表現の幅を有してなるスクリューアートを提供することができる。
例えば、頭部の形状が上側凸の略半円形状に形成されてなる前記棒状部材が使用される際には、丸みを帯びた柔らかい印象のスクリューアートを、頭部に平坦面が形成されてなる前記棒状部材が使用される際には、メリハリのある印象のスクリューアートを、提供することができる。
さらに、頭部の形状が平面視略円形形状に形成されてなる前記棒状部材が使用される際には、丸みを帯びた柔らかい印象のスクリューアートを、頭部の形状が平面視角形形状に形成されてなる前記棒状部材が使用される際には、メリハリのある印象のスクリューアートを提供することができる。
またさらに、頭部の径が短い前記棒状部材が使用される際には、幅の細い前記イラスト領域の表現が可能となるスクリューアートを、頭部の径が長い前記棒状部材が使用される際には、面積の大きいイラスト領域を少ない本数の前記棒状部材で敷き詰めることが可能となるスクリューアートを、提供することができる。
しかし、頭部の形状は、上記のものに限られるものではなく、断面Ｔ字状の棒状部材であれば種々の形状のものを採用することができる。
【００１５】
これらが組み合わされることで、種々の表現の幅を有してなるスクリューアートを提供することが可能となる。
【００１６】
また、複数の前記棒状部材は、前記略平坦面に打設される時点において、少なくとも頭部があらかじめ着色されてなることとしても好ましい。
【００１７】
複数の前記棒状部材が、前記略平坦面に打設される時点において、少なくとも頭部があらかじめ着色されてなる構成によれば、スクリューアートの製造工程において、前記棒状部材を着色する手間を軽減することができる。
【００１８】
なお、前記着色手法としては、焼付塗装であることが好ましい。前記着色手法を焼付塗装とした場合には、装飾性が高まるとともに、防錆性（防食性）が高まり、格別の効果を奏する。
しかし、前記着色手法としては、焼付塗装に限られるものではなく、ペンキ塗装、ラッカー等種々の着色手法を採用することができる。
【００１９】
また、前記棒状部材は、前記基礎ボードに打ち込まれる下端部が、先鋭形状に形成されてなるネジであることとしても好ましい。
【００２０】
前記棒状部材が、前記基礎ボードに打ち込まれる下端部が、先鋭形状に形成されてなるネジとした構成によれば、電動ドライバーなどを用いて前記ネジを回転させながら前記基礎ボードに打設することが可能となるため、前記スクリューアートを容易に創作することが可能となる。
【００２１】
上述した前記基礎ボードに打ち込まれる下端部が、先鋭形状に形成されてなるネジとしては、例えば、木ネジ（木ネジの頭部形状としては、一般的には皿木ネジ、丸木ネジ、なべ木ネジなどが知られている。）を採用することができる。しかし、木ネジに限定されるものではなく、その他の下端部が先鋭形状に形成されてなるネジを採用することもできる。
【００２２】
また、本考案に係るスクリューアート製造キットは、略平坦面を有してなる基礎ボードと、スクリューアートの製造時において前記基礎ボードの略平坦面に形成した所望のイラストの外形線に対応する位置に沿って打設可能であると共に、二種以上の、頭部の形状が異なる棒状部材の組み合わせによって構成されてなる複数の断面Ｔ字状の棒状部材と、を備え、複数の前記棒状部材は、少なくとも頭部が着色されてなることを特徴とする。
【００２３】
前記スクリューアート製造キットによれば、該スクリューアート製造キットを販売することで、上述したスクリューアートの製造工程を一般の消費者に体験してもらうことが可能となる。
【００２４】
また、前記イラストは、前記スクリューアート製造キットの販売時に既に略平坦面に形成されたものでもよく、又は、前記スクリューアート製造キットの販売時には形成されておらず、消費者である前記スクリューアートの製造者が決定するものでもよい。
【考案の効果】
【００２５】
本考案に係るスクリューアートによれば、一の棒状部材の頭部の頂点から前記略平坦面までの距離と、他の少なくとも一の棒状部材の頭部の頂点から前記略平坦面までの距離とが異なることで、複数の前記棒状部材の頭部の高さの相違により、前記棒状部材を用いた立体的な凹凸を表現してなるスクリューアートを提供することができる。
【００２６】
また、本考案に係るスクリューアート製造キットによれば、該スクリューアート製造キットを販売することで、上述したスクリューアートの製造工程を一般の消費者に体験してもらうことが可能となる。
【図面の簡単な説明】
【００２７】
【図１】本考案に係るスクリューアート１の一例を示す平面図である。
【図２】本考案に係るスクリューアート１の一例を示す左側面図である。
【図３】本考案に係るスクリューアート１の一例を示す斜視図である。
【図４】ネジを用いた立体的な凹凸を表す側面図である。
【図５】ネジの頭部３１，４１の着色状態を示す断面図である。
【考案を実施するための形態】
【００２８】
以下、本考案に係る実施の形態を、図を参照しながら詳しく説明する。
まず初めに、実施の形態におけるスクリューアート１の構成を詳説する。
【００２９】
本考案は、図１、図２、及び図３に示すように、平坦面２１を有してなる基礎ボード２０と、基礎ボード２０の平坦面２１に起立して設けられてなる複数の断面Ｔ字状の棒状部材と、を備えてなるスクリューアート１である。
なおここで、断面Ｔ字状の前記棒状部材としては、皿木ネジ３０及び丸木ネジ４０を用いた例を説明する。
【００３０】
また図５に示すように、皿木ネジ３０は、上端が平坦となっており、その中心に十字状の駆動部３２が形成されてなる頭部３１と、頭部３１から下側に延出してなるネジ部３３と、を有し、ネジ部３３の下端部３５は先鋭形状に形成されてなる。また、皿木ネジ３０の頭部３１には、頭部３１及び駆動部３２を覆って焼付塗装により着色されてなる塗装層３４が形成されてなる。
また、丸木ネジ４０は、上端が上側凸の略半円形状となっており、その中心に十字状の駆動部４２が形成されてなる頭部４１と、頭部４１から下側に延出してなるネジ部４３と、を有し、ネジ部４３の下端部４５は先鋭形状に形成されてなる。また、丸木ネジ４０の頭部４１には、頭部４１及び駆動部４２を覆って焼付塗装により着色されてなる塗装層４４が形成されてなる。
また、皿木ネジ３０の塗装層３４は赤色であり、丸木ネジ４０の塗装層４４は緑色となっている。さらに、皿木ネジ３０の頭部３１の径は、丸木ネジ４０の頭部４１の水平方向の径よりも大きく形成されてなる。
【００３１】
またさらに、複数の皿木ネジ３０及び複数の丸木ネジ４０は、平坦面２１に形成されてなるチューリップのイラストの外形線であるチューリップのイラストの外枠に対応する位置に沿って打設されてなる。
【００３２】
さらに、前記チューリップのイラストの外枠に対応する位置に沿って打設されてなる皿木ネジ３０及び丸木ネジ４０以外の複数の皿木ネジ３０及び複数の丸木ネジ４０は、チューリップのイラストの外枠によって閉じられてなるチューリップのイラスト領域を敷き詰めるように打設されてなる。
【００３３】
さらに、図２及び図３に示すように、平坦面２１に打設されてなる皿木ネジ３０及び丸木ネジ４０の頭部３１，４１の頂点から平坦面２１までの距離と、他の少なくとも１の皿木ネジ３０若しくは丸木ネジ４０の頭部の頂点から平坦面２１までの距離とは相違する。
【００３４】
次に、上述のスクリューアート１の製造方法について詳説する。
上述したスクリューアート１を製造するためには、スクリューアート製造キットを用いることが好ましい。
上述したチューリップのイラストを作成する際のスクリューアート製造キットは、平坦面２１を有してなる基礎ボード２０と、スクリューアート１の製造時において基礎ボード２０の平坦面２１に形成したチューリップの外形線に対応する位置に沿って打設可能であると共に、頭部が赤色に着色されてなる複数の皿木ネジ３０及び頭部が緑色に着色されてなる複数の丸木ネジ４０を備えてなる。
【００３５】
前記の構成のスクリューアート製造キットを手にした製造者は、まず、平坦面２１を上側に向けて、基礎ボード２０を机などに載置する。
【００３６】
次に、載置された基礎ボード２０に、チューリップのイラストの外形線を鉛筆、操出鉛筆、ボールペン等を用いて基礎ボード２０の平坦面２１に描く。
【００３７】
その次に、平坦面２１の前記外形線の花弁に対応する位置に沿って、複数の皿木ネジ３０を打設する。
なおここでは、電動ドライバーを用いて皿木ネジ３０を打設することが好ましい。
【００３８】
次に、前記外形線によって閉じられてなるチューリップの花弁のイラスト領域を敷き詰めるように、皿木ネジ３０を打設する。
【００３９】
次に、平坦面２１の前記外形線の茎及び葉に対応する位置に沿って、複数の丸木ネジ４０を打設する。
なおここでは、電動ドライバーを用いて丸木ネジ４０を打設することが好ましい。
【００４０】
次に、前記外形線によって閉じられてなるチューリップの葉のイラスト領域を敷き詰めるように、丸木ネジ４０を打設する。
なお、ここでは、茎を細く表現する必要があることから、茎イラスト領域を敷き詰めるように、丸木ネジ４０を打設することを要しない。
【００４１】
上記工程により、製造者はチューリップのスクリューアート１を容易に得ることができる。
【００４２】
次に、本実施の形態におけるスクリューアート１の作用及び効果を説明する。
上記の構成からなるスクリューアート１は、一の皿木ネジ３０若しくは一の丸木ネジ４０の頭部３１，４１の頂点から平坦面２１までの距離と、他の少なくとも一の皿木ネジ３０若しくは他の少なくとも一の丸木ネジ４０の頭部３１，４１の頂点から平坦面２１までの距離とが異なることで、複数のネジの頭部３１，４１の高さの相違により、棒状部材であるネジを用いた立体的な凹凸を表現してなるスクリューアート１を提供することが可能となる。
【００４３】
さらに、複数の棒状部材が、皿木ネジ３０と丸木ネジ４０とからなることにより、頭部３１，４１の径の違いにより、チューリップの茎部分を十分に細く表現することが可能となっている。
【００４４】
またさらに、皿木ネジ３０及び丸木ネジ４０は、平坦面２１に打設する時点において、既に頭部３１，４１が予め着色されてなる。これにより、スクリューアート１の製造工程において、皿木ネジ３０及び丸木ネジ４０を着色する手間を軽減することができる。
【００４５】
さらに、該着色手法が焼付塗装であることにより、その着色の装飾性が高まると共に、防錆性（防食性）が高まり、格別の効果を奏する。
【００４６】
またさらに、皿木ネジ３０及び丸木ネジ４０の下端部が先鋭形状に形成されてなることにより、例えば、電動ドライバーなどを用いて皿木ネジ３０及び丸木ネジ４０を回転させながら基礎ボード２０に打設することができる。
【００４７】
また、スクリューアート製造キットとして販売した場合には、スクリューアート１の製造工程を一般の消費者に体験してもらうことが可能となり、子供の製造者に対しては、ネジや工業に対する興味を引き立てることができる。さらに、例えば高齢者の製造者に対しては、手を動かして所望のイラストを創作することで、認知症の予防としての効果を期待することもできる。
【００４８】
また、本実施形態においては、二種以上の、頭部３１，３２の形状が異なる棒状部材の組み合わせとして、皿木ネジ３１と丸木ネジ４１を用いたが、該組み合わせは、上記の物に限られるものではなく、鍋ネジ、ボルト、釘、ピン、待ち針など種々の断面Ｔ字状の棒状部材から、１又は２種以上の物を選択することができる。
【符号の説明】
【００４９】
１ スクリューアート
２０ 基礎ボード
２１ 平坦面
３０ 皿木ネジ
３１ 頭部
３２ 駆動部
３３ ネジ部
３４ 塗装層
３５ 下端部
４０ 丸木ネジ
４１ 頭部
４２ 駆動部
４３ ネジ部
４４ 塗装層
４５ 下端部
【図１】
0003223136.tif 000003
【図２】
0003223136.tif 000004
【図３】
0003223136.tif 000005
【図４】
0003223136.tif 000006
【図５】
0003223136.tif 000007